(57)【要約】【課題】  機能機器を高密度に実装して所望の機能に構成することができる拡張型ストレージ装置を実現する。【解決手段】  冷却通風ファン機器部３ａとストレージ機器部３ｂと冷却通風ファン及び電源複合機器部３ｃと必要に応じてサーバ機器部４ｄを備えたストレージ機能機器筐体ブロック３をラックに搭載して構成する拡張型ストレージ装置であって、各機器部は、前後方向に連結可能に構成された筐体外枠板３ｂ１と、各筐体外枠板の底部に設けられた回路基板３ｂ３と該回路基板に接続され、この回路基板の前後方向に連結される他の機器部の筐体外枠板の回路基板に接続されたコネクタ３ｂ５と嵌合して連結された機器部間の電気的接続を実現するコネクタ３ｂ４と、前記筐体外枠板に載置されて前記回路基板に接続された機能機器とを備えた構成とする。【選択図】図１０
2016143295.tif 000002
【特許請求の範囲】
【請求項１】
ストレージ機器部と冷却通風ファン及び電源複合機器部とを備えたストレージ機能機器筐体ブロックをラックに搭載して構成する拡張型ストレージ装置において、
前記ストレージ機能機器筐体ブロックにおける前記各機器部は、前後方向に連結可能に構成された筐体外枠板と、前記筐体外枠板の底部に設けられた回路基板と該回路基板に接続され、この回路基板の前後方向に連結される他の機器部の筐体外枠板の回路基板に接続されたコネクタと嵌合して連結された機器部間の電気的接続を実現するコネクタと、前記筐体外枠板に載置されて前記回路基板に接続された機能機器とを備えたことを特徴とする拡張型ストレージ装置。
【請求項２】
請求項１において、
前記ストレージ機能機器筐体ブロックは、更に、サーバ機器部を備え、このサーバ機器部も連結可能に構成された筐体外枠板と、前記筐体外枠板の底部に設けられた回路基板と該回路基板に接続され、この回路基板の前後方向に連結される他の機器部の筐体外枠板の回路基板に接続されたコネクタと嵌合して連結された機器部間の電気的接続を実現するコネクタと、前記筐体外枠板に載置されて前記回路基板に接続された機能機器とを備えたことを特徴とする拡張型ストレージ装置。
【請求項３】
請求項１または２において、
前記筐体外枠板の連結は、筐体外枠板に形成した印籠継ぎ突片を連結する機器部の筐体外枠板に嵌合させて位置決めした状態で結合ねじを螺合して両筐体外枠板を締め付けることにより実現するように構成したことを特徴とする拡張型ストレージ装置。
【発明の詳細な説明】
【技術分野】
【０００１】
本発明は、機能を拡張することができる拡張型ストレージ装置に関する。
【背景技術】
【０００２】
ストレージ装置は、複数のストレージ機器や冷却通風ファン機器や電源機器等の機能機器を載置した機器載置筐体をラックに複数段に搭載する構成である。ユーザが要求するデータ蓄積容量に応じて機器載置筐体に対するストレージ機器の載置数を変更したり、ラックに対する機器載置筐体の搭載段数を変更したりすることは可能であるが、機器載置筐体に対する各機能機器の載置位置は特定されていることから、ストレージ装置の構成によっては機能機器の載置密度が低下して空間利用効率が悪くなり、また、各機器載置筐体上に構成するストレージ機能を予め定められた特定の機能に対して変更することができない。
【０００３】
図１２は、このような従来のストレージ装置の側板を取り外して内部構成を示す斜視図である。このストレージ装置におけるラック１は、底板１ａと天板１ｂの間に該底板１ａと天板１ｂの四隅と前後方向の中間部の両縁及び後半部の両縁に位置させて縦方向に介在させた複数の支柱１ｃ（１ｃ１，１ｃ２，１ｃ３，１ｃ４，１ｃ５，１ｃ６）で骨格を構成し、その外周を側板（図示省略）で覆って構成している。電源及びコンピュータ機器やストレージ機器を載置する機器載置筐体２を縦方向に複数段に並べて搭載するための係合部（図示省略）は、前側の２隅と中間部の両縁に位置させた支柱１ｃ１，１ｃ２，１ｃ３，１ｃ４の内側に設けている。
【０００４】
図１３は、図１２に例示したストレージ装置においてラック１に搭載される機器載置筐体２の外観斜視図である。内部構成の図示説明は省略するが、機器載置筐体２に対するストレージ機器や冷却通風ファン機器や電源機器の載置位置は特定されており、設置数の増減は特定された位置内で行われる。
【先行技術文献】
【特許文献】
【０００５】
【特許文献１】ＵＳ  ２０１１／０２２２２３４  Ａ１  ＳＴＯＲＡＧＥ  ＥＮＣＬＯＳＵＲＥ  ＣＡＲＲＩＥＲ  ＡＮＤ  ＭＥＴＨＯＤＳ
【発明の概要】
【発明が解決しようとする課題】
【０００６】
従来のストレージ装置は、実装する各機能機器の機器載置筐体に対する載置位置が特定されていることから、データ蓄積容量の小さい装置を構成するために載置するストレージ機器の数を少なくすると、機能機器の実装密度が低くなって機器載置筐体上の空間を効率良く利用する構成とすることが困難であり、また、載置する機能機器を特定した構成の機器載置筐体上に載置した機能機器により構成されるストレージ装置はその機能が特定されてしまい、多様な要求に適応する好ましい形態のストレージ装置を構成することが困難である。
【０００７】
従って、本発明の１つの目的は、機能機器を高密度に実装することができる拡張型ストレージ装置を実現することにある。
【０００８】
本発明の他の目的は、多様な要求に好ましい形態で適応することができる拡張型ストレージ装置を実現することにある。
【０００９】
本発明の他の目的は、そのような拡張型ストレージ装置を実現するのに適した構成手段を提供することにある。
【課題を解決するための手段】
【００１０】
本発明は、ストレージ機器部と冷却通風ファン及び電源複合機器部と必要に応じてサーバ機器部を備えたストレージ機能機器筐体ブロックをラックに搭載して構成する拡張型ストレージ装置において、
前記ストレージ機能機器筐体ブロックにおける前記各機器部は、前後方向に連結可能に構成された筐体外枠板と、前記筐体外枠板の底部に設けられた回路基板と該回路基板に接続され、この回路基板の前後方向に連結される他の機器部の筐体外枠板の回路基板に接続されたコネクタと嵌合して連結された機器部間の電気的接続を実現するコネクタと、前記筐体外枠板に載置されて前記回路基板に接続された機能機器とを備えた構成とする。
【発明の効果】
【００１１】
本発明の拡張型ストレージ装置は、ラックに搭載するストレージ機能機器筐体ブロックを構成する機器部を選択的に連結するものであるから、機能機器を高密度に実装したものとすることができる。
【００１２】
また、多様な要求に好ましい形態で適応した拡張型ストレージ装置とすることができる。具体的には、データ蓄積容量の大小、サーバ機能の有無等に好ましい形態で適応することができる。
【図面の簡単な説明】
【００１３】
【図１】本発明の拡張型ストレージ装置における基本ストレージ機能機器筐体ブロックの外観を示す斜視図である。
【図２】本発明の拡張型ストレージ装置におけるサーバ機能付きストレージ機能機器筐体ブロックの外観を示す斜視図である。
【図３】図１に示した基本ストレージ機能機器筐体ブロックにおける電気系統図である。
【図４】図２に示したサーバ機能付きストレージ機能機器筐体ブロックにおける電気系統図である。
【図５】図２に示したサーバ機能付きストレージ機能機器筐体ブロックを簡易化して小型な構成に変形した形態を示すサーバ機能付きストレージ機能機器筐体ブロックの外観斜視図である。
【図６】図１に示した基本ストレージ機能機器筐体ブロックを構成する機能機器部を分離した状態でその筐体外枠板と該筐体外枠板の内側の底部に設置された配線盤を示す縦断側面図である。
【図７】図１に示した基本ストレージ機能機器筐体ブロックを構成する機器部を分離した状態でその筐体外枠板と該筐体外枠板の内側の底部に設置された配線盤を示す平面図である。
【図８】図６に示した基本ストレージ機能機器筐体ブロックを構成する機器部を分離状態で示す斜視図である。
【図９】図７に示した基本ストレージ機能機器筐体ブロックを構成する機器部の配線盤を分離状態で示す斜視図である。
【図１０】図６に示した基本ストレージ機能機器筐体ブロックを構成する機能機器部を連結状態で示す斜視図である。
【図１１】図７に示した基本ストレージ機能機器筐体ブロックを構成する機器部の配線盤を連結状態で示す斜視図である。
【図１２】従来のストレージ装置の側板を取り外して内部構成を示す斜視図である。
【図１３】図１２に示したストレージ装置における機器載置筐体の外観斜視図である。
【発明を実施するための形態】
【００１４】
本発明の拡張型ストレージ装置の実施形態は、ストレージ機器部と冷却通風ファン及び電源複合機器部と必要に応じてサーバ機器部を備えたストレージ機能機器筐体ブロックをラックに搭載する基本構成であり、
前記ストレージ機能機器筐体ブロックにおける前記各機器部は、前後方向に連結可能に構成された筐体外枠板と、前記筐体外枠板の底部に設けられた回路基板と該回路基板に接続され、この回路基板の前後方向に連結される他の機器部の筐体外枠板の回路基板に接続されたコネクタと嵌合して連結された機器部間の電気的接続を実現するコネクタと、前記筐体外枠板に載置されて前記回路基板に接続された機能機器とを備えた構成とする。
【実施例】
【００１５】
この実施例の拡張型ストレージ装置は、従来のストレージ装置と同様なラックに機能機器を載置したストレージ機能機器筐体ブロックを搭載して構築する構成である。
【００１６】
図１は、ラックに複数段に形成された係合部の１つに係合させて搭載するストレージ機能機器筐体ブロックの外観を示す斜視図である。
【００１７】
この図１に示したストレージ機能機器筐体ブロックは、単純なるストレージ機能の基本的なブロック構成の基本ストレージ機能機器筐体ブロック３であり、冷却通風ファン機器部３ａと、複数列のストレージ機器部３ｂと、冷却通風ファン及び電源複合機器部３ｃとを機械的及び電気的に連結して構成される。載置するストレージ機器部３ｂの連結列数は、要求されるデータ蓄積容量の大きさに応じてラックに搭載可能な寸法の範囲内で任意に設定され、冷却通風ファン機器部３ａの載置位置も載置するストレージ機器部３ｂの載置列数に応じて載置されたストレージ機器部３ｂを効率良く冷却するのに望ましい冷却通風を実現するのに適した位置に設定される。因みに、この基本ストレージ機能機器筐体ブロック３の冷却通風は、冷却通風ファン機器部３ａによって前側から外気（室内空気）を吸い込んで複数列のストレージ機器部３ｂに送り込み、ストレージ機器部３ｂ内を通風冷却した後に冷却通風ファン及び電源複合機器部３ｃの後側から外気中（室内）に排気する構成である。
【００１８】
この基本ストレージ機能機器筐体ブロック３を構成する冷却通風ファン機器部３ａとストレージ機器部３ｂと冷却通風ファン及び電源複合機器部３ｃは、それぞれ、機器部毎の筐体外枠板の内側の底部に配線盤を設置し、この配線盤の上に該配線盤と電気的に接続するように各機能機器を載置して構成し、各機器部を機械的及び電気的に連結することにより基本ストレージ機能機器筐体ブロック３を構成する。具体的には後述する。
【００１９】
図２は、ラックに複数段に形成された係合部の他の１つに係合させて搭載するストレージ機能機器筐体ブロックの外観を示す斜視図である。
【００２０】
この図２に示したストレージ機能機器筐体ブロックは、サーバ機能を備えたブロック構成のサーバ機能付きストレージ機能機器筐体ブロック４であり、冷却通風ファン機器部４ａと、複数列のストレージ機器部４ｂと、冷却通風ファン及び電源複合機器部４ｃと、サーバ機器部４ｄを機械的及び電気的に連結して構成される。載置するストレージ機器部４ｂの載置列数は、基本ストレージ機能機器筐体ブロック３と同様に、要求されるデータ蓄積容量の大きさに応じて任意に設定され、冷却通風ファン機器部４ａの載置位置も載置するストレージ機器部４ｂの載置列数に応じて載置されたストレージ機器部４ｂを効率良く冷却するのに望ましい冷却通風を実現するのに適した位置に設定される。因みに、このサーバ機能付きストレージ機能機器筐体ブロック４の冷却通風は、冷却通風ファン機器部４ａによってサーバ機器部４ｄを通して前側から外気（室内空気）を吸い込んで複数列のストレージ機器部４ｂに送り込み、サーバ機器部４ｄとストレージ機器部４ｂ内を通風冷却した後に冷却通風ファン及び電源複合機器部４ｃの後側から外気中（室内）に排気する構成である。
【００２１】
このサーバ機能付きストレージ機能機器筐体ブロック４を構成する冷却通風ファン機器部４ａとストレージ機器部４ｂと冷却通風ファン及び電源複合機器部４ｃとサーバ機器部４ｅは、それぞれ、機器部毎の筐体外枠板の内側の底部に配線盤を設置し、この配線盤の上に該配線盤と電気的に接続するように各機能機器を載置して構成し、各機器部を機械的及び電気的に連結することによりサーバ機能付きストレージ機能機器筐体ブロック４を構成する。具体的には後述する。
【００２２】
図３は、図１に示した基本ストレージ機能機器筐体ブロック３における電気系を示している。この基本ストレージ機能機器筐体ブロック３は、情報処理装置においてデータを蓄積するストレージ機器のデータ蓄積容量を増量するための増設手段であり、各ストレージ機器部３ｂは入出力用の外部Ｉ／Ｆ３ｆ１を介して外部の前記情報処理装置に接続する構成である。冷却通風ファン機器部３ａ、冷却通風ファン及び電源複合機器部３ｃについては、単なる給電制御接続であるので図示説明を省略する。
【００２３】
図４は、図２に示したサーバ機能付きストレージ機能機器筐体ブロック４における電気系を示している。このサーバ機能付きストレージ機能機器筐体ブロック４は、入出力用の外部Ｉ／Ｆ４ｆ１を介して外部の情報処理装置にサーバとして接続される。各ストレージ機器部４ｂは、サーバ機器部４ｄが扱うデータを蓄積するためのストレージ機器として機能する構成である。冷却通風ファン機器部４ａ、冷却通風ファン及び電源複合機器部４ｃについては、単なる給電制御接続であるので図示説明を省略する。
【００２４】
図２に例示したサーバ機能付きストレージ機能機器筐体ブロック４は、複数列のストレージ機器部４ｂを備えたデータ蓄積容量が比較的に大きな装置構成であるが、データ蓄積容量が小さなサーバ機能付きストレージ機能機器筐体ブロック４の要求に対しては、図５に示すように、ストレージ機器部４ｂの載置列数を減らして簡易化することにより小型に構成することができる。すなわち、サーバ機器部４ｄを補助するストレージ機器部４ｂは１列のみとし、冷却通風は冷却通風ファン及び電源複合機器部４ｃによる通風のみで賄って冷却通風専用の冷却通風ファン機器部４ａを省略する構成である。
【００２５】
データ蓄積容量を更に大きな装置とするためにストレージ機器部４ｂの載置列数を増加させる場合には、各機器部の機械的及び電気的な結合構成が共通していることから、冷却通風を効率良く実現することができるように連結する冷却通風ファン機器部４ａの列数と連結位置を任意に設定することができる。
【００２６】
基本ストレージ機能機器筐体ブロック３についても同様にストレージ機器部３ｂの連結列数を変更して要求されるデータ蓄積容量に適応した装置構成を実現することができる。
【００２７】
図６及び図７は、基本ストレージ機能機器筐体ブロック３の各機器部３ａ〜３ｃを構成する筐体外枠板と該筐体外枠板の内側の底部に設置された配線盤を示している。
【００２８】
各機器部３ａ〜３ｃは、この各機器部３ａ〜３ｃを前後方向に連結することによって構成する基本ストレージ機能機器筐体ブロック３内に前後方向に伸びる冷却通風路を形成することができるように前後面に通風窓を有する箱型の筐体外枠板３ａ１，３ｂ１…と、各機器部３ａ〜３ｃの前記筐体外枠板３ａ１，３ｂ１…の両側及び底部の後端には後側に連結する機器部の筐体外枠板３ｂ１…の両側及び底部の前端に嵌合するために突出するように形成した印籠継ぎ突片３ａ２，３ｂ２…と、前記各筐体外枠板３ａ１，３ｂ１…の底部に設置され、載置する機能機器と電気的に接続する回路基板３ａ３，３ｂ３…と、当該機器部の前側に位置して連結される機器部に回路基板３ａ３，３ｂ３…を電気的に接続するための雌型コネクタ３ａ４，３ｂ４…と、当該機器部の後側に位置して連結される機器部に回路基板３ａ３，３ｂ３…を電気的に接続するための雄型コネクタ３ａ５，３ｂ５…を備える。因みに、前記回路基板３ａ３，３ｂ３…と雌型コネクタ３ａ４，３ｂ４…と雄型コネクタ３ａ５，３ｂ５…は、前後に連結された機器部及び該機器部に載置される機能機器間を電気的に接続するための前記配線盤を構成する。
【００２９】
機器部３ａ〜３ｃの機械的な連結は、図８及び図１０に示すように、前側に位置する機器部の筐体外枠板３ａ１，３ｂ１…の印籠継ぎ突片３ａ２，３ｂ２…を後側に位置する機器部の筐体外枠板３ａ１，３ｂ１…に嵌合させて位置決めし、この位置決め状態で結合皿ねじ３ｂ８を結合ねじ通し穴３ｂ７を通して結合ねじ穴３ｂ６に螺合して両筐体外枠板３ａ１，３ｂ１…を締め付けることにより実現する。
【００３０】
そして、このときの機器部３ａ〜３ｃの電気的な連結は、図９及び図１１に示すように、前側に位置する機器部の筐体外枠板３ａ１，３ｂ１…の印籠継ぎ突片３ａ２，３ｂ２…を後側に位置する機器部の筐体外枠板３ｂ１…に嵌合させて位置決めして連結することにより雌型コネクタ３ａ４，３ｂ４…と雄型コネクタ３ａ５，３ｂ５…も嵌合して電気的な接続が実現する。
【００３１】
このように基本ストレージ機能機器筐体ブロック３を構成する各機器部３ａ〜３ｃの筐体外枠板と該筐体外枠板の内側の底部に対する配線盤の構成技術は、サーバ機能付きストレージ機能機器筐体ブロック４の構成においても同様に適用して該サーバ機能付きストレージ機能機器筐体ブロック４を実現する。
【００３２】
このような機器部の連結構成は、任意の機能の機器部を任意の位置に組み合わせて連結することにより、所望のストレージ機能機器筐体ブロックを構成するのに好都合である。
【符号の説明】
【００３３】
１…ラック
３…基本ストレージ機能機器筐体ブロック
３ａ…冷却通風ファン機器部
３ａ１…筐体外枠板
３ａ２…印籠継ぎ突片
３ａ３…回路基板
３ａ４…雌型コネクタ
３ａ５…雄型コネクタ
３ｂ…ストレージ機器部
３ｂ１…筐体外枠板
３ｂ２…印籠継ぎ突片
３ｂ３…回路基板
３ｂ４…雌型コネクタ
３ｂ５…雄型コネクタ
３ｂ６…結合ねじ穴
３ｂ７…結合ねじ通し穴
３ｂ８…結合皿ねじ
３ｃ…冷却通風ファン及び電源複合機器部
３ｆ１…外部Ｉ／Ｆ
４…サーバ機能付きストレージ機能機器筐体ブロック
４ａ…冷却通風ファン機器部
４ｂ…ストレージ機器部
４ｃ…冷却通風ファン及び電源複合機器部
４ｄ…サーバ機器部
４ｆ１…外部Ｉ／Ｆ
【図１】
2016143295.tif 000003
【図２】
2016143295.tif 000004
【図３】
2016143295.tif 000005
【図４】
2016143295.tif 000006
【図５】
2016143295.tif 000007
【図６】
2016143295.tif 000008
【図７】
2016143295.tif 000009
【図８】
2016143295.tif 000010
【図９】
2016143295.tif 000011
【図１０】
2016143295.tif 000012
【図１１】
2016143295.tif 000013
【図１２】
2016143295.tif 000014
【図１３】
2016143295.tif 000015